(57)【要約】      （修正有）【課題】和室および洋室兼用の添い寝用ベビーベッドを提供する。【解決手段】添い寝用のベビーベッド１は、左右の妻枠２、３と、妻枠２、３後部に固設される後枠５と、前部に昇降可能に設置される前枠４と、これら各枠によって囲まれる空間下部に床板６が高さ調節可能に設けられ、床板６の上に前端部が折り曲げ可能なマットレスを備えている。前枠４の下端の横桟４ｂは、妻枠２、３の前端の下端に固設された枠受９に載置されている。そして、床板６の前部に前枠４が挿通できる隙間を有してマットレスの前端部を載せる補助床８が固設され、マットレスの表面が枠下端から１０〜１５ｃｍとし、洋室で使用するときは、妻枠２、３に補助脚１０を上下高さ変更可能に取り付け大人用ベッドの高さにする。【選択図】図１
0003231508.tif 000002
【実用新案登録請求の範囲】
【請求項１】
和室で大人用布団に連接でき、洋室では大人用ベッドに連接できる添い寝用ベビーベ ッドであって、該ベビーベッドは、左右の妻枠と、該左右の妻枠後部に固設される後枠と、前部に昇降可能に設置される前枠と、該各枠によって囲まれる空間下部に床板が高さ調節可能に設けられ、該床板の上に前端部が折り曲げ可能なマットレスを備えて構成されており、該前枠の下端の横桟は、左右の妻枠の前端の下端に固設された枠受に載置され、床板の前部に前枠が挿通できる隙間を有してマットレスの前端部を載せる補助床が固設され、マットレスの表面が該妻枠下端から１０〜１５ｃｍとし、洋室で使用するときは、該左右の妻枠に補助脚を上下高さ変更可能に取り付けて大人用ベッドの高さとすることを特徴とする添い寝用ベビーベ ッド。
【請求項２】
前記添い寝用ベビーベッドは、前枠、後枠、左右の妻枠、床板および補助脚を鋲螺で組み立てて作られ、輸送時の梱包状態をコンパクトにするため、前枠、後枠、床板、マットレス、拡張床、枠受けは、長手方向を２分割し中央で連結するようにし、補助脚は横部材を分割し、棒状の部品のみで構成したことを特徴とする請求項１記載の添い寝用ベビーベッド。
【考案の詳細な説明】
【技術分野】
【０００１】
本考案は、和室で大人用の布団、洋室では大人用ベッドのいずれにも連接して使用できる添い寝用ベビーベッドに関する。
【背景技術】
【０００２】
出願人は、先に、大人用のベッドに連接する添い寝用ベビーベッドを開発している（特許文献１）。
この添い寝用ベビーベッドは、図５に示すように、前側が左右の妻枠２，３の前端より前方へ突出させた床板６を、大人用のベッドの高さと同じにできるように上下調整可能に設け、前枠４は床板６の上に載せた状態で両端を妻枠２，３に脱着可能に取り付けられている。そして、前枠４は、昇降可能とし、下端を床板６の拡床６５に載置させている。なお、図で４４は、前枠４を妻枠２，３に係止する固定具である。
【０００３】
このように構成されているので、ベビーベッドは洋間では、大人用のベッドに連接でき、大人用ベッドとの間に隙間ができないので安全である。また、添い寝しないときは、マットレスの前端を折り曲げることにより、前枠４を取付けることができる。
【先行技術文献】
【特許文献】
【０００４】
【特許文献１】実用新案登録３１９７９８５
【考案の開示】
【考案が解決しようとする課題】
【０００５】
特許文献１の添い寝用ベビーベッドは、大人用のベッドに隙間なく連接でき、前枠４も使用できるので、添い寝に適している。しかしながら、ベビーベッドのマットレスの高さは、最低でも２３ｃｍ以上になるので、和室で布団の横に置くと段差が大きく添い寝することはできない。
また、前枠は、床板の上に載置されるので、床板の高さを一定以上に変えると前枠と妻枠および後枠との高さの差が大きくなって赤ちゃんの安全性に懸念がある。
さらに、日本では多くの人が和室で布団に寝ており、布団寝で添い寝できるベビーベッドの要望が多い。
【０００６】
また、ベビーベッドは、木製で作られ、ユーザーが各パーツが梱包された状態で入手して、各パーツを取り出してボルトで連結して組み立て、輸送費用を削減している。しかし、前枠、後枠、床板など大きな部品があり、輸送時の梱包状態は大きなものとなっており、コンパクトにしてほしいという要望もある。
【０００７】
本考案は、このような要望に基いて開発されたものであり、その目的とするところは、和室で大人用の布団、洋室では大人用ベッドのいずれにも添い寝ができ、赤ちゃんの面倒を見ないときは、前枠が妻枠および後枠と同じ高さで閉鎖できる添い寝用ベビーベッドを提供することを目的としている。
【課題を解決するための手段】
【０００８】
本考案の添い寝用ベビーベッドは、上記の目的を達成するため、次のように構成した。すなわち、和室で大人用布団に連接でき、洋室では大人用ベッドに連接できる添い寝用ベビーベ ッドであって、該ベビーベッドは、左右の妻枠と、該左右の妻枠後部に固設される後枠と、前部に昇降可能に設置される前枠と、該各枠によって囲まれる空間下部に床板が高さ調節可能に設けられ、該床板の上に前端部が折り曲げ可能なマットレスを備えて構成されており、該前枠の下端の横桟は、左右の妻枠の前端の下端に固設された枠受に載置され、床板の前部に前枠が挿通できる隙間を有してマットレスの前端部を載せる補助床が固設され、マットレスの表面が該妻枠下端から１０〜１５ｃｍとし、洋室で使用するときは、該左右の妻枠に補助脚を上下高さ変更可能に取り付けて大人用ベッドの高さとすることを特徴としている。
【０００９】
この考案は、和室では床板を妻枠の最下段（枠下端から１０〜１５ｃｍ）に取り付けて布団のお表面と高さを合わせ、洋室では、マットレスの表面を大人用ベッドの高さに合うように妻枠に補助脚を取り付ける。床板の幅寸法は前枠より内側とし、前枠が昇降可能な間隔を設けて補助床を床板前端に固設している。そして、前枠の下部には、前枠が載る枠受が左右の妻枠の下端に固設されている。
【００１０】
洋室においてベビーベッドの床板の高さを大人用ベッドの高さに合わせるには、補助脚を妻枠に取り付ける位置を変えて行うが、この位置は無段階に調整可能にすれば合わせやすい。しかし、構造が複雑になり、コストもかかるので、床板を妻枠に高さ調整できるようにして、補助脚と両者で調整を可能とするのが簡便である。
【００１１】
また、ベビーベッドの梱包をコンパクトにするには、請求項２に記載のように、前枠、後枠、床板、マットレス、拡張床、枠受けは、長手方向を２分割し中央で連結するようにし、補助脚は横部材を分割し、棒状の部品のみとするのが望ましい。
【考案の効果】
【００１２】
本考案の添い寝用ベビーベッドは、妻枠、後枠、前枠によって囲まれる空間下部に床板が高さ調節可能に設けられ、該床板の上にマットレスを備えて構成され、前枠の下端は、左右の妻枠の前端の下端に固設された枠受に載置され、床板の前部に前枠が挿通できる隙間を有してマットレスの前端部を載せる補助床が固設され、マットレスの表面高さが枠下端から１０〜１５ｃｍとし、洋室で使用するときは、該左右の妻枠に脚を上下高さ変更可能に取り付け大人用ベッドの高さにしたので、和室で布団寝でも洋室でのベッドでも添い寝が可能となった。
【００１３】
また、この添い寝用ベビーベッドは、請求項２に記載のように、前枠、後枠、床板は、長手方向を２分割し組み立て時に中央で連結するようにしたので、梱包状態をコンパクトにでき、輸送および保管がしやすくなった。
【図面の簡単な説明】
【００１４】
【図１】本考案の添い寝用ベビーベッドを洋室で使用する場合の全体斜視図である。
【図２】同、和室で布団の横に置いたときの添い寝用ベビーベッドの側面図である。
【図３】同、添い寝用ベビーベッドを分解して示す斜視図である。
【図４】同、添い寝用ベビーベッドの梱包状態の説明図である。
【図５】従来の添い寝用ベビーベッドの全体を示す斜視図である。
【考案を実施するための形態】
【００１５】
以下、本考案の添い寝用ベビーベッドの実施の形態を図面に基いて説明する。
図１は、洋室で大人用ベッドに連接して置かれる添い寝用ベビーベッドの全体斜視図で、図２は、和室で布団に連接して置かれる場合を示す側面図である。また、図３は、添い寝用ベビーベッドを部品に分解した斜視図で、図４は梱包の状態を示す説明図である。
【００１６】
添い寝用ベビーベッドは、図１に示すように、左右の妻枠２，３と、前後の前枠４と後枠５とによって長方形に囲われる空間の下部に、床板６が取り付けられている。
床板６には、図示してないが、マットレスが敷かれ、この表面の高さと大人用のベッドの高さが同じ高さになるように左右の妻枠２，３に補助脚１０が取り付けられている。
なお、ここでは、床板６は、妻枠２，３の下端から１５ｃｍほどの位置に取り付けられており、補助脚１０は、補助脚１０の下端からマットレス７の上端までの高さが、ここでは、４００〜５００ｍｍとなるように妻枠２，３に取り付けられている。
【００１７】
左右の妻枠２，３と後枠５は、従来（図５）と同じ構成であり、８.５ｃｍ以下の間隔で縦桟が多数固設されている。なお、後枠５は、中央から２つに分割され、上端と下端の分割部は連結金具１５で連結されている。
前枠４は、後枠５と同じ大きさであり、同様に中央から２つに分割され、妻枠２，３の前端に昇降可能に取り付けられている。
前枠４の下端には、横桟４ｂが固設されており、妻枠２，３の下部前端に固設した枠受９に載っており、また、上端の両端には妻枠２，３に係止する固定具４ａが設けられている。
【００１８】
そして、床板６の前端には、前枠４より外へ突出した補助床８が固設されている。補助床８は、前枠４が昇降できるように、前枠４の縦桟がないところで床板６に固設すればよいので、ここでは、補助床８は、左右両端のみ床板に固設し、中央部は隙間がある。
また、マットレス７の前枠４側寄りは、補助床８の上に載っており、前枠４を取り付けるときは、床板６より前方に突出しているマットレス７の部分を上方へ折り曲げる。
【００１９】
このように構成された添い寝用ベビーベッドを和室で使用する場合は、補助脚１０を妻枠２，３から外し、床板６を妻枠２，３の最下段に取り付ける。このように組み替えることにより、図２に示すように、マットレス７の上端の位置は畳面から１０〜１５ｃｍに位置し、布団をベビーベッドに連接でき、十分添い寝ができる。
【００２０】
次に、上記説明した添い寝用ベビーベッドを梱包する場合について、図４に基づいて説明する。
先ず、妻枠２，３を寝かせて入る大きさの平皿のダンボールの下箱２１ｂを置き、妻枠２，妻枠３、中央から分割された床板６を裏側が合わさるようにして入れる。そして、その横に、棒状に分解した補助脚１０と、２分割した枠受９および補助床８入れる。
続いて、床板６の上に２分割した後枠５と前枠４を入れ、その上にマットレス７を入れる。
【００２１】
一方、補助床８の側にはボルトや連結金具スパナなどの金具類を収納したダンボール箱を入れ、上から上箱２１ａで覆う。
なお、包装にあたっては、妻枠２，３の部材間や後枠５と前枠４の間には、ダンボール２３を挟むとともに、補助脚１０、補助床８や枠受９のように棒状のものは緩衝材２５（発泡エチレンシート）などで包んでいる。また、必要により、発泡スチロール板２２を部材間に入れる。
これにより、輸送中の振動による部品間の摩擦が防止され、矩形状のコンパクトなものにまとまり、保管および輸送がし易くなった。
【００２２】
なお、上記の実施形態の説明では、より判りやすくするため、寸法を示したが、特にこれに限定するものではない。
【符号の説明】
【００２３】
１  添い寝用ベビーベッド
２，３  妻枠
４  前枠
４４  係止材
４ａ  固定具
４ｂ  横桟
５  後枠
６  床板
６５  拡床
６ａ  連結金具
７  マットレス
８  補助床
９  枠受
１０  補助脚
１５〜１８  連結金具
２０  布団
２１  包装箱
２１ａ  上箱
２１ｂ  下箱
２２  緩衝材（発泡スチロール）
２３  緩衝材（ダンボール）
２４  金具箱（ダンボール）
２５  発泡エチレンシート
【図１】
0003231508.tif 000003
【図２】
0003231508.tif 000004
【図３】
0003231508.tif 000005
【図４】
0003231508.tif 000006
【図５】
0003231508.tif 000007